(57)【要約】【課題】優れた静電気軽減効果を有し、繰り返しの洗濯にも静電気軽減機能が低下しない耐洗濯性に優れた、静電気軽減糸を含有する下着の付属部分品及びこれらが付設される静電気軽減下着を提供すること。【解決手段】レース、コメット、ニードル又はブラジャーの肩ひも等の下着本体に付設する繊維構造物等の下着の付属部分品に、白色系金属化合物からなる導電素材を配合した静電気軽減糸が含有されることを特徴とする下着の付属部分品及び前記下着の付属部分品が付設されることを特徴とする静電気軽減下着とする。【選択図】  図１
2004232154.tif 000002
【特許請求の範囲】
【請求項１】
白色系金属化合物からなる導電素材を配合した静電気軽減糸が含有されることを特徴とする下着の付属部分品。
【請求項２】
前記下着の付属部分品が、少なくともレース、コメット、ニードル又はブラジャーの肩ひも等の下着本体に付設する繊維構造物であることを特徴とする請求項１に記載の下着の付属部分品。
【請求項３】
前記導電素材が前記静電気軽減糸中０．５〜２．５重量％含有されることを特徴とする請求項１又は２に記載の下着の付属部分品。
【請求項４】
前記静電気軽減糸が総合番手５０〜３００デシックス（ｄｔｅｘ）であることを特徴とする請求項１乃至３のいずれかに記載の下着の付属部分品。
【請求項５】
前記下着の付属部分品が付設されることを特徴とする静電気軽減下着。
【発明の詳細な説明】
【０００１】
【発明の属する技術分野】
本発明は静電気軽減糸を含有する下着の付属部分品及びこれらが付設される静電気軽減下着に係り、その目的は優れた静電気軽減効果を有し、繰り返しの洗濯にも静電気軽減機能が低下しない耐洗濯性に優れた、静電気軽減糸を含有する下着の付属部分品及びこれらが付設される静電気軽減下着を提供することにある。
【０００２】
【従来の技術】
冬場は静電気の発生量が大きくなり、衣服が身体にまとわりついたり、脱衣時や金属に触れた時に放電しショックを受けることがある。また、ＯＡ機器の周辺は静電気がたまりやすく、不快な思いをすることがある。更に、静電気は衣服にチリや埃などを吸い寄せるため、衛生面でも望ましいものではない。下着においても、ポリエステル、ナイロン、アクリルなどの合成繊維を含有した下着が多くなり、これら合成繊維は吸湿性が悪く、静電気障害が起こりやすくなっている。
静電気の発生を抑えるために、洗濯時に柔軟剤を用いたり、静電気防止用のスプレーを利用することも考えられるが、持続性に劣り、高頻度での使用を必要とする。
【０００３】
そこで、下着自体に静電気を防止する機能を付与することが考えられ、静電気防止機能を有する繊維製品の技術として、静電気に帯電し難い高分子に希土類を含む鉱物、遠赤外線セラミックス、トルマリンのうちの１種以上を混合する樹脂組成物を製品の表面に加工処理する織編物（例えば、特許文献１参照。）などが開示されている。しかしながら、上記のような静電気防止機能を有する繊維製品は、繊維製品の表面に静電気防止のための組成物を加工してあるため、繰り返しの洗濯でその機能が低下し製品の機能性が大きく損なわれたり、肌触りが悪いなどの問題があった。
【０００４】
【特許文献１】
特開２０００−１１００６２号公報
【０００５】
一方、導電性を有する糸も提案されているが（例えば、特許文献２参照。）、糸に導電性物質を混入しているため糸の色が黒く着色されており、剛性も大であるため下着に使用した場合風合いや外観の点において適したものではなく、更にこの導電性を有する糸は高価であるため使用に適さなかった。
【０００６】
【特許文献２】
特開２０００−１１００４２号公報
【０００７】
【発明が解決しようとする課題】
本発明は上記した問題点を解決するためになされたものであって、優れた静電気軽減効果を有し、繰り返しの洗濯にも静電気軽減機能が低下しない耐洗濯性に優れた静電気軽減糸を含有する下着の付属部分品及びこれらが付設される静電気軽減下着を創出しようとするものである。
【０００８】
【課題を解決するための手段】
すなわち本発明のうち請求項１に係る発明は、白色系金属化合物からなる導電素材を配合した静電気軽減糸が含有されることを特徴とする下着の付属部分品に関する。
請求項２に係る発明は、前記下着の付属部分品が、少なくともレース、コメット、ニードル又はブラジャーの肩ひも等の下着本体に付設する繊維構造物であることを特徴とする請求項１に記載の下着の付属部分品に関する。
請求項３に係る発明は、前記導電素材が前記静電気軽減糸中０．５〜２．５重量％含有されることを特徴とする請求項１又は２に記載の下着の付属部分品に関する。
請求項４に係る発明は、前記静電気軽減糸が総合番手５０〜３００デシックス（ｄｔｅｘ）であることを特徴とする請求項１乃至３のいずれかに記載の下着の付属部分品に関する。
請求項５に係る発明は、前記下着の付属部分品が付設されることを特徴とする静電気軽減下着に関する。
【０００９】
【発明の実施の形態】
以下、本発明に係る静電気軽減糸を含有する下着の付属部分品及びこれらが付設される静電気軽減下着について、図面を参照しつつ説明する。
図１は、本発明の実施の形態であるショーツを示し、図２は、本発明の実施の形態であるインナーウェアを示す。
【００１０】
本発明に係る下着の付属部分品とは、図１に示すショーツや図２に示すインナーウェアなどの下着に装飾、補強、縁取り、ストレッチ性付与などを目的とし、特定の部分の効用を増すために使用するレース（１）、コメット（２）やニードル（３）、及びブラジャーの肩ひも等の下着本体に付設する繊維構造物をいう。
【００１１】
尚、本発明において下着とは、図１及び図２に示したショーツやインナーウェアのような下着の他、靴下、手袋、和装用下着、Ｔシャツ、サポーター、腹巻き等の肌に直接つける衣類と定義し、下着の付属部分品は、該下着に付設する繊維構造物全てを指す。
【００１２】
本発明に係る静電気軽減糸を含有する下着の付属部分品の作成に使用する静電気軽減糸は、白色系金属化合物からなる導電素材が配合された糸を通常糸と共に撚り合わせた糸であることを特徴とする。該静電気軽減糸中の導電素材により、糸自体が導電性を有し、更にコロナ放電により帯電圧を低下させることができる。
【００１３】
白色系金属化合物からなる導電素材としては、特に限定されないが、例えば、酸化第２錫、酸化亜鉛、酸化銅、酸化銀、酸化インジウム、酸化ジルコニウム、酸化タングステンなどの白色系金属酸化物を主体とする白色金属化合物が挙げられる。また、白色系金属化合物からなる導電素材を配合する繊維としては、特に限定されないが、例えば、ポリエステル、ナイロン、レーヨン、アクリル等の化学繊維が挙げられ、好ましくはナイロン、ポリエステルなどを使用する。該白色系金属化合物からなる導電素材を配合する繊維は１種を単独で用いても良く、２種以上を組み合わせて用いてもよい。
白色系金属化合物からなる導電素材を使用することで、下着に使用するに際し白色や淡色などの多彩な色展開が可能となる。
【００１４】
前記白色系金属化合物からなる導電素材を配合した糸と撚り合わせる通常糸としては、特に限定されないが、例えば、綿糸、麻糸、レーヨン糸、アセテート糸、絹糸、ポリエステル糸、ナイロン糸、アクリル糸、ポリウレタン糸等が挙げられ、静電気防止効果の高い、レーヨン糸、綿糸、ポリエステル糸、ナイロン糸などを使用することが好ましい。これらのうち１種を単独で用いても良く、２種以上を組み合わせて用いてもよい。
【００１５】
尚、白色系金属化合物からなる導電素材は、静電気軽減糸中０．５〜２．５重量％、好ましくは１．０〜２．０重量％含有されるように上記繊維に任意の配合量で配合すれば良い。該白色系金属化合物からなる導電素材が静電気軽減糸中０．５重量％未満の場合、本発明の目的である静電気軽減効果が著しく低下し、また２．５重量％を超えると糸質が低下するため好ましくない。
【００１６】
前記静電気軽減糸の太さとしては特に限定されないが、総合番手５０〜３００デシテックス（ｄｔｅｘ）、好ましくは１００〜２４０デシックス（ｄｅｔｘ）の糸を使用するのが好ましい。番手（デシテックス（ｄｅｔｘ））とは糸の太さの単位のことをいい、番手数が大きくなるほどその糸は太くなる。総合番手３００デシテックス（ｄｔｅｘ）より太い糸を使用すると、下着の付属部分品がごわつく原因となり、肌ざわり等の風合いが劣化するため好ましくなく、総合番手５０デシテックス（ｄｔｅｘ）より細い糸を使用すると、該付属部分品が薄くなりすぎるため破れやすくなり、耐洗濯性にも劣るため好ましくない。
また、双糸又は３こ撚りは単糸に比べて糸の太さが一定になるため丈夫な糸となり、本発明においては前記した太さの範囲の単糸、双糸又は３こ撚りのいずれも好適に使用することができる。
【００１７】
前記白色系金属化合物からなる導電素材を配合した静電気軽減糸を使用して下着の付属部分品を作成する場合、該静電気軽減糸を１００％使用して作成しても良く、また他の糸と混用しても良い。混用する場合、該静電気軽減糸と混用する糸としては前記した通常糸を例示することができる。他の糸と混用する場合、該静電気軽減糸は１５％以上含まれるようにする。また、他の糸と混用する場合、作成する付属部分品は交織あるいは交編して、全ての面に該静電気軽減糸が織り込まれるようにする。
【００１８】
上述した如く、本発明に係る下着の付属部分品は、使用する糸の繊維中に静電気軽減効果の高い導電素材を含有しているため、優れた静電気軽減効果を有する。また、繰り返しの洗濯にもその静電気軽減効果が低下しない耐洗濯性がある。更に、該下着の付属部分品を付設した下着は、身体との摩擦を生じやすい付属部分品の部分に静電気軽減効果があるため、優れた静電気軽減効果を持たせることができる。
【００１９】
更に、本発明に係る下着の付属部分品に使用する静電気軽減糸は、導電素材が白色系金属化合物であるため、白色や淡色などへの多彩な色展開を可能にする。
【００２０】
以下、本発明の実施例を記載することにより、本発明の効果をより明確なものとする。尚、本発明に係る静電気軽減糸を含有する下着の付属部分品及びこれらが付設される静電気軽減下着は、以下の実施例に何ら限定されるものではない。
【００２１】
【実施例】
（実施例１）
ナイロン混の静電気軽減糸を２０％、ナイロン７０％、ポリウレタン１０％を混用してストレッチレースを、ナイロン５０％、綿４０％、ポリウレタン１０％を混用して天竺編地を製造した。該天竺編地を使用してショーツ本体を作成し、該ストレッチレースをショーツの胴回り部及び股刳り部に付設しショーツを作成した。
【００２２】
（実施例２）
実施例２として、実施例１のうち、ナイロン混の静電気軽減糸を１０％、ナイロン８０％、ポリウレタン１０％を混用してストレッチレースを製造し、ショーツを作成した。
【００２３】
（実施例３）
実施例３として、実施例１のうち、ナイロン混の静電気軽減糸を１００％使用してストレッチレースを製造し、ショーツを作成した。
【００２４】
（実施例４）
実施例４として、ナイロン２５％、綿７０％、ポリウレタン５％を混用して天竺編地を製造し下着本体を作成し、実施例１で製造したレースを襟刳り部、裾部及び袖口部に付設し女性用下着を作成した。
【００２５】
（比較例１）
比較例１として、実施例１のうち、ナイロン９０％、ポリウレタン１０％を混用してストレッチレースを製造しショーツを作成した。
【００２６】
（比較例２）
実施例２として、実施例４のうち、ナイロン９０％、ポリウレタン１０％でレースを製造し女性用下着を作成した。
【００２７】
【試験例】
実施例１乃至４、及び比較例１及び２で作成したショーツを用い、本発明の静電気軽減下着の効果を以下の試験例に基き説明する。
（試験例１：静電気帯電位測定）
実施例１乃至４、及び比較例１及び２で作成したショーツ及び下着を着用した際の静電気帯電位を測定した。床研式静電気測定装置を用い、２５℃、湿度６５％の条件下で試着前と試着後３０分後の人体の静電気帯電位を測定した。その結果を表１に示す。
【００２８】
【表１】
2004232154.tif 000003
【００２９】
（試験例２：静電気軽減下着の効果の評価）
実施例１乃至４、及び比較例１及び２で作成したショーツ及び下着を用い、肌ざわり、耐洗濯性について年齢２５〜４０才までの女性２０人を無差別に選び、官能テストを行った。悪いを０、良いを５として数値評価させて、その平均値をとり、平均０〜２．９を×、３．０〜３．９を△、４．０〜５．０を○として評価した。尚、耐洗濯性については下着の着用と洗濯を５回繰り返して行い、その静電気軽減性について評価した。その結果を表２に示す。
【００３０】
【表２】
2004232154.tif 000004
【００３１】
表１及び表２に示された結果から、本発明に係る静電気軽減糸を含有する下着の付属部分品及びこれらが付設される静電気軽減下着は、優れた静電気軽減効果を有することがわかった。また、着用感に優れ、繰り返しの洗濯でもその静電気軽減性が低下せず、耐洗濯性もあることがわかった。
【００３２】
【発明の効果】
以上詳述した如く、請求項１に係る発明は、白色系金属化合物からなる導電素材を配合した静電気軽減糸が含有されることを特徴とする下着の付属部分品であるので、該下着の付属部分品に優れた静電気軽減機能を持たせることができると共に、耐洗濯性がある。更に、導電素材が白色のため該静電気軽減糸に様々な着色を施すことができ、下着の付属部分品に白色や淡色などの多彩な色展開を可能にする。
【００３３】
請求項２に係る発明は、前記下着の付属部分品が、少なくともレース、コメット、ニードル又はブラジャーの肩ひも等の下着本体に付設する繊維構造物であることを特徴とする請求項１に記載の下着の付属部分品であるので、該下着の付属部分品を付設した下着に優れた静電気軽減機能を持たせることができる。
【００３４】
請求項３に係る発明は、前記導電素材が前記静電気軽減糸中０．５〜２．５重量％含有されることを特徴とする請求項１又は２に記載の下着の付属部分品であるので、十分な静電気軽減効果が得られ、その静電気軽減機能が半永久的に続く。
【００３５】
請求項４に係る発明は、前記静電気軽減糸が総合番手５０〜３００デシックス（ｄｔｅｘ）であることを特徴とする請求項１乃至３のいずれかに記載の下着の付属部分品であるので、肌ざわりが良く、着用感に優れる。
【００３６】
請求項５に係る発明は、前記下着の付属部分品が付設されることを特徴とする静電気軽減下着であるので、下着に静電気軽減機能を持たせることができ、その効果が持続し、繰り返しの洗濯にもその性能が低下することがない耐洗濯性がある。
【図面の簡単な説明】
【図１】本発明に係るショーツの正面図である。
【図２】本発明に係るインナーウェアの正面図である。
【符号の説明】
１          レース
２          コメット
３          ニードル
【図１】
2004232154.tif 000005
【図２】
2004232154.tif 000006
【手続補正書】
【提出日】平成15年2月18日(2003.2.18)
【手続補正１】
【補正対象書類名】図面
【補正対象項目名】図２
【補正方法】変更
【補正の内容】
【図２】
2004232154.tif 000007